(57)【要約】【課題】  ハウジングに設けられるカード装着部と、このカード装着部の開閉を可能にするカバー部材と、このカバー部材を開く方向に付勢する付勢部材とを備えるカード用コネクタ装置において、カード用コネクタ装置が大きくならないように付勢部材を配置できるカード用コネクタ装置を提供することにある。【解決手段】  カード装着部２１を形成するハウジング２０の前端壁部２４に、カード装着部２１に装着されたメモリカード１０の切欠き部１１と対向する傾斜部２５を形成し、この傾斜部２５の近傍におけるハウジング２０の空き部４０に、付勢部材である捻りコイルばね７０を配置し、これにより、ハウジング２０の大きさを変更せずに、ハウジング２０内に捻りコイルばね７０を配置できるようにした。【選択図】図１
2005141321.tif 000002
【特許請求の範囲】
【請求項１】
ハウジングに形成され、基本形状が矩形であって前端側の角部が切り欠かかれてなる切欠き部を有するカードを装着するカード装着部と、
前記ハウジングに回動可能に支持されて前記カード装着部の開閉を可能にするカバー部材と、
前記カバー部材を開く方向に付勢する付勢部材とを備えるとともに、
前記カード装着部に前記カードを装着した状態における前記切欠き部に対応して前記ハウジングに空き部を設け、この空き部に前記付勢部材を配置したことを特徴とするカード用コネクタ装置。
【請求項２】
請求項１記載の発明において、
前記カバー部材を閉じた状態でこのカバー部材が開かないようにロックするロック機構部を備えるとともに、前記カバー部材が、前記カードが挿入されるカード挿入部を有することを特徴とするカード用コネクタ装置。
【請求項３】
請求項１または２記載の発明において、
前記付勢部材が、捻りコイルばねからなり、
前記カバー部材が、前記捻りコイルばねの一端部と係合する係合部を有することを特徴とするカード用コネクタ装置。
【請求項４】
請求項３記載の発明において、
前記係合部が、前記捻りコイルばねの一端部が挿入される挿入部であって、前記カバー部材の表面に形成した表面溝部と、前記カバー部材の裏面に形成した裏面溝部とを連続させてなることを特徴とするカード用コネクタ装置。
【発明の詳細な説明】
【技術分野】
【０００１】
本発明は、ハウジングに形成されカードを装着するカード装着部と、ハウジングに回動可能に支持されてカード装着部の開閉を可能にするカバー部材と、カバー部材を開く方向に付勢する付勢部材とを備えるカード用コネクタ装置に関する。
【背景技術】
【０００２】
従来のカード用コネクタ装置は、ハウジングに設けられメモリカードを装着するカード装着部と、ハウジングに回動可能に支持されてカード装着部の開閉を可能にするカバー部材と、カバー部材を開く方向に付勢する付勢部材とを備えている。
【０００３】
前記付勢部材としては、捻りコイルばねが使用されており、この捻りコイルばねは、ハウジングの外部、例えばハウジングの側方に配置されている。
【特許文献１】特表平５−５０２９５９号公報（図９，１０）
【発明の開示】
【発明が解決しようとする課題】
【０００４】
カード用コネクタ装置では、カードの小型化に伴って、装置の小型化が要望されている。しかし、上述した従来のカード用コネクタ装置では、ハウジングの外部に捻りコイルばねが配置されているために、カード用コネクタ装置が大きくなっていた。つまり、捻りコイルばねの配置がカード用コネクタ装置の小型化を困難にする原因のひとつになっていた。
【０００５】
本発明は、上述の実情を考慮してなされたものであり、その目的は、ハウジングに設けられるカード装着部と、このカード装着部の開閉を可能にするカバー部材と、このカバー部材を開く方向に付勢する付勢部材とを備えるカード用コネクタ装置において、カード用コネクタ装置が大きくならないように付勢部材を配置できるカード用コネクタ装置を提供することにある。
【課題を解決するための手段】
【０００６】
上述の目的を達成するために、本発明は、ハウジングに形成され、基本形状が矩形であって前端側の角部が切り欠かかれてなる切欠き部を有するカードを装着するカード装着部と、前記ハウジングに回動可能に支持されて前記カード装着部の開閉を可能にするカバー部材と、前記カバー部材を開く方向に付勢する付勢部材とを備えるとともに、前記カード装着部に前記カードを装着した状態における前記切欠き部に対応して前記ハウジングに空き部を設け、この空き部に前記付勢部材を配置したことを特徴とする。
【０００７】
このように構成した本発明では、カード装着部にカードを装着した状態におけるカードの切欠き部に対応して前記ハウジングに空き部を設け、この空き部に付勢部材を配置してある。これにより、ハウジングの大きさを変更することなく、ハウジング内に付勢部材を配置できる。つまり、カード用コネクタ装置が大きくならないように付勢部材を配置することできる。
【０００８】
また、本発明は、前記発明において、前記カバー部材を閉じた状態でこのカバー部材が開かないようにロックするロック機構部を備えるとともに、前記カバー部材が、前記カードが挿入されるカード挿入部を有することを特徴とする。
【０００９】
このように構成した本発明では、カードをカード装着部に装着する際、まず、開いた状態のカバー部材のカード挿入部にカードを挿入する。次に、カードが挿入された状態のカバー部材を、付勢部材の付勢に抗して閉じる。これにより、カード装着部内にカードが配置される。最後に、ロック機構部によりカバー部材が開かないようにロックして、カード装着部へのカードの装着が完了する。また、カードをカード装着部から取り出す際は、まず、ロック機構部によるロックを解除する。これにより、カバー部材が付勢部材によリ付勢されて開く。このとき、カバー部材は、カード挿入部にカードが保持された状態で開く。そして、カード挿入部からカードを取出して、カードのカード装着部からの取出しが完了する。つまり、本発明では、カード装着部へのカードの装着、および、カード装着部からのカードの取出しを、カバー部材の開閉とともに容易に行うことができる。
【００１０】
また、本発明は、前記発明において、前記付勢部材が、捻りコイルばねからなり、前記カバー部材が、前記捻りコイルばねの一端部と係合する係合部を有することを特徴とする。
【００１１】
このように構成した本発明では、簡単な構成でカバー部材の開く方向への付勢を実現できる。
【００１２】
また、本発明は、前記発明において、前記係合部が、前記捻りコイルばねの一端部を前記カバー部材の端面から挿入する挿入部であって、前記カバー部材の表面に形成した表面溝部と、前記カバー部材の裏面に形成した裏面溝部を連続させてなることを特徴とする。
【００１３】
このように構成した本発明では、係合部をスライド型により容易に形成することができる。
【発明の効果】
【００１４】
以上で説明したように、本発明によれば、カード用コネクタ装置が大きくならないように付勢部材を配置することできる。これにより、カード用コネクタ装置の小型化に貢献できる。
【発明を実施するための最良の形態】
【００１５】
以下で、本発明のカード用コネクタ装置の一実施形態について図を用いて説明する。
【００１６】
図１は、本発明のカード用コネクタ装置の一実施形態を示す平面図、図２は、図１に示すカバー部材のII方向矢視図、図３は、図１のIII方向矢視図、図４は、図１のIII方向から見たハウジングを示す図、図５は、図１のV-V断面図、図６は、図５に示す捻りコイルばねの取付構造部を示す縦断面図、図７は、図６のVIII方向から見たハウジングおよび捻りコイルばねを示す図、図８は、図１のVIII方向から見たカバー部材がロックされた状態を示す図、図９は、図１のVIII方向から見たカバー部材のロックが解除された状態を示す図、図１０は、図１のVIII方向から見たカバー部材が開いた状態を示す図である。
【００１７】
本実施形態は、メモリカード１０、例えばＲＳ−ＭＭＣ（Ｒｅｄｕｃｅ  Ｓｉｚｅ  Ｍｕｌｔｉｍｅｄｉａ  Ｃａｒｄ）を装着する図１に示す小型のカード用コネクタ装置１である。
【００１８】
図１に示すように、本実施形態は、平面視したときの基本形状が矩形のハウジング２０に形成され、メモリカード１０を装着するカード装着部２１と、ハウジング２０に回動可能に支持されてカード装着部２１の開閉を可能にするカバー部材５０と備えている。また、本実施形態は、カバー部材５０を開く方向に付勢する付勢部材、すなわち、捻りコイルばね７０を備えている。また、メモリカード１０は、基本形状が矩形であって前端側の一方の角部が斜めに切り欠かかれてなる切欠き部１１を有する。なお、図１では、紙面の下側がハウジング２０およびメモリカード１０の前端側であり、紙面の上側がハウジング２０およびメモリカード１０の後端側である。
【００１９】
カード装着部２１は、装着されたメモリカード１０の裏面に対向する底板２２と、この底板２２から立ち上がりメモリカード１０の後端面１２に対向する後端壁部２３と、メモリカード１０の前端面１３に対向する前端壁部２４とに囲まれる空間である。前端壁部２４には、メモリカード１０の切欠き部１１に対向する傾斜部２５を形成してある。
【００２０】
前記底板２２には、複数の端子からなるコネクタ端子群２６を露出させてある。このコネクタ端子群２６は、底板２２にインサート成形してある。このコネクタ端子群２６は、メモリカード１０の裏面で露出するカード端子群（図示しない）に対応する位置に配置してある。つまり、メモリカード１０がカード装着部２１に装着された状態で、コネクタ端子群２６とカード端子群とが接触するようになっている。
【００２１】
図２に示すように、カバー部材５０は、メモリカード１０が挿入されるカード挿入部５１を有する。このカード挿入部５１は、カバー部材５０の本体である上板５２と、この上板５２の両側部のそれぞれにおいて下方に突出する側壁５３と、各側壁５３の下部から内方に向かって上板５２と平行な方向に突出する鍔部５４とに囲まれる空間である。つまり、カード挿入部５１に挿入されたメモリカード１０は、左右方向における移動を側壁５３により規制され、上板５２に垂直な方向における移動を鍔部５４および上板５２により規制されることによって、カバー部材５０に抱えられるように保持されるようになっている。なお、図１に示すように、前記底板２２の両側部のそれぞれには、カバー部材５０が閉じた状態においてカバー部材５０の側壁５３が配置される切欠き２７を形成してある。
【００２２】
また、図３に示すように、カバー部材５０は、その両側部のそれぞれの後端部に、回動中心となる回動軸部５５を有する。また、図４に示すように、ハウジング２０は、その両側部のそれぞれの後端部に、カバー部材５０の回動軸部５５が配置される軸穴２８を有する。この軸穴２８は、ハウジング２０の下面で開口する下面開口部３１を有し、この下面開口部３１から軸穴２８にカバー部材５０の回動軸部５５を配置できるようにしてある。なお、下面開口部３１は、本実施形態が装備される機器の筐体の壁面１００により塞ぎ、これにより、回動軸部５５を抜け止めしてある。
【００２３】
また、本実施形態では、カバー部材５０が閉じた状態でカバー部材５０が開かないようにロックするロック機構部を備えている。このロック機構部は、図４に示すように、ハウジング２０の両側部のそれぞれの後端部に形成され、前記軸穴２８と連続するロック穴２９を有する。また、ロック機構部は、軸穴２８とロック穴２９との間で突出する断面形状が円弧状の部分であって軸穴２８からロック穴２９への回動軸部５５のスライドおよびロック穴２９から軸穴２８への回動軸部５５のスライドを抑制するスライド抑制部３０を有する。また、ロック機構部は、図３に示すように、カバー部材５０の両側壁５３のそれぞれの後端面から後方に突出するロック突起部５７を有する。また、ロック機構部は、ハウジング２０の後端壁部２３の両側部のそれぞれから側方に突出する鍔状の部分からなり、回動軸部５５がロック穴２９に位置するときにロック突起部５７の上方向への移動を規制する規制部３２を有する。
【００２４】
なお、図３では、回動軸部５５が軸穴２８に位置し、ロック突起部５７の上方向への移動が規制部３２により規制されていない状態、すなわち、ロックが解除されている状態を示している。
【００２５】
また、本実施形態では、図１に示すように、前記傾斜部２５の近傍に形成されたハウジング２０の空き部４０に、前記捻りコイルばね７０を配置してある。つまり、カード装着部２１にメモリカード１０を装着した状態におけるメモリカード１０の切欠き部１１に対応させて、ハウジング２０の前端壁部２４に傾斜部２５を形成することによって、ハウジング２０の前端部における一方の角部に空き部４０を設け、この空き部４０に捻りコイルばね７０を配置してある。
【００２６】
捻りコイルばね７０をカバー部材５０およびハウジング２０に取り付ける取付構造部は、前記空き部４０に形成される凹部４１を備えている。この凹部４１は、図６に示すように、空き部４０に含まれるハウジング２０の前端壁部２４部分の上面において開口する上面開口部４２と、ハウジング２０の前端面において開口する前端開口部４３とを有する。また、図７に示すように、凹部４１の奥端面４４の右側上部には、後方に延び捻りコイルばね７０の一端部７１が配置される浅い溝部４５を形成してある。また、凹部４１の奥端面４４の左側全体には、後方に延び捻りコイルばね７０の他端部７２が配置される深い溝部４６とを形成してある。
【００２７】
凹部４１の左右の内壁面には、同図７に示すように、捻りコイルばね７０のコイル部７３の内周側に配置され、捻りコイルばね７０を回動可能に支持する一対のばね軸部４７を突出させてある。この一対のばね軸部４７のそれぞれは、その軸方向の寸法が凹部４１の前端開口部４３に近いほど小さくなるように形成してある。つまり、一対のばね軸部４７の端面４８の間隔が、捻りコイルばね７０の挿入口である前端開口部４３に向かって広がるように、一対のばね軸部４７の端面４８を傾斜させてある。なお、凹部４１の左右の内壁面の間隔寸法は、捻りコイルばね７０のコイル部７３の長さ寸法と同寸法に設定してある。
【００２８】
また、捻りコイルばね７０の取付構造部は、カバー部材５０に形成され捻りコイルばね７０の一端部７１が係合する係合部、すなわち、図５，６に示すように、捻りコイルばね７０の一端部７１をカバー部材５０上板５２内に挿入するための挿入部５８を備えている。
【００２９】
この挿入部５８は、前記カバー部材５０の上板５２の表面に形成され、上板５２の前端面において開口して捻りコイルばね７０の一端部７１の挿入口となる前端開口部６２を有する表面溝部５９と、カバー部材５０の上板５２の裏面に形成され表面溝部５９に連続する裏面溝部６０とにより構成してある。これら表面溝部５９および裏面溝部６０は、スライド型により形成してある。
【００３０】
なお、図５に示すカバー部材５０の位置はロックが解除されている位置であり、この位置にカバー部材５０があるとき、裏面溝部６０の奥端面６１と捻りコイルばね７０の一端部７１との間に、ロックさせる方向へのカバー部材５０のスライドを許容する間隔Ｓが形成されるようにしてある。
【００３１】
＜捻りコイルばねの取付け＞
このように構成した本実施形態では、図６，７に示すようにして、捻りコイルばね７０を取り付ける。
【００３２】
つまり、まず、カバー部材５０とハウジング２０とを組み付ける。すなわち、カバー部材５０の各回動軸部５５をハウジング２０の各軸穴２８に配置する。そして、図６に示すように、カバー部材５０をハウジング２０に対して閉じた状態にしておく。次に、捻りコイルばね７０の一端部７１を弾性力に抗して他端部７２に近づけて、すなわち、矢印Ｂ方向に撓ませて、一端部７１と他端部７２とをほぼ平行にする。次に、捻りコイルばね７０の一端部７１および他端部７２を凹部４１の前端開口部４３に向けた状態で、捻りコイル７０ばねを前端開口部４３から凹部４１に挿入する、すなわち、凹部４１に矢印Ａ方向から捻りコイルばね７０を挿入する。
【００３３】
凹部４１に捻りコイルばね７０を挿入する際、浅い溝部４５およびカバー部材の挿入部５８に捻りコイルばね７０の一端部７１を挿入しながら、また、ハウジング２０の深い溝部４６に捻りコイル７０ばねの他端部７２を挿入しながら、コイル部７３を凹部４１内に押し込んでいく。
【００３４】
このとき、コイル部７３は、一対のばね軸部４７のそれぞれの端面４８により押圧されて端面４８の傾斜にしたがって収縮していく。そして、このコイル部７３は、ばね軸部４７の外周側に位置したときに元の長さに戻り、一対のばね軸部４７により回動可能に支持された状態となり、カバー部材５０およびハウジング２０に対する捻りコイルばね７０の取付けが完了する。
【００３５】
このようにして組み立てた本実施形態は、次のように動作する。
【００３６】
＜ロック状態＞
カバー部材５０がロックされている状態では、カバー部材５０の回動軸部５５がロック穴２９に位置し、ロック穴２９から軸穴２８への回動軸部５５のスライド、すなわち、ロックを解除する方向（図８に示す矢印Ｃ方向）へのカバー部材５０のスライドが、スライド抑制部３０により抑制されている。また、カバー部材５０のロック突起部５７が、図８に示すようにハウジング２０の規制部３２の下方に位置し、これにより、ロック突起部５７の上方向への移動が、すなわち、カバー部材５０の開く方向への移動が、規制部３２により規制されている。
【００３７】
＜ロックの解除＞
ロックの解除は、同図８に示すように、カバー部材５０を矢印Ｃ方向にスライドさせることにより行う。カバー部材５０を矢印Ｃ方向にスライドさせる際は、ロック穴２９から軸穴２８への回動軸部５５の移動がスライド抑制部３０により抑制されているため、カバー部材５０を矢印Ｃ方向に移動させようとすると回動軸部５５がスライド抑制部３０に引っ掛かる。このとき、カバー部材５０にさらに大きな矢印Ｃ方向の力を与えると、カバー部材５０の回動軸部５５近傍が外側に撓んで、回動軸部５５がスライド抑制部３０を乗り越えて軸穴２８に移動し、同時にロック突起部５７が図９に示すように規制部３２の下方から矢印Ｃ方向にずれる。つまり、カバー部材５０のロックが解除され、カバー部材５０が捻りコイルばね７０により付勢されて、図１０に示すように矢印Ｄ方向に回動し開くようになる。
【００３８】
＜メモリカードの装着＞
メモリカード１０をカード装着部２１に装着するには、図１０に示すように開いた状態のカバー部材５０のカード挿入部５１に、メモリカード１０を挿入する。次に、カバー部材５０を、捻りコイルばね７０による付勢に抗して、すなわち、矢印Ｅ方向に回動させて、図９に示すように閉じる。これにより、カード装着部２１内にメモリカード１０が配置される。そして、カバー部材５０をスライド抑制部３０によるスライドの抑制に抗して図９に示す矢印Ｆ方向にスライドさせ、図８に示すようにカバー部材５０をロックし、カード装着部２１へのメモリカード１０の装着が完了する。
【００３９】
＜メモリカードの取出し＞
メモリカード１０をカード装着部２１から取り出すには、図８に示すようにロックされたカバー部材５０を、スライド抑制部３０によるスライドの抑制に抗して矢印Ｃ方向にスライドさせて、図９に示すようにカバー部材５０のロックを解除する。そして、図１０に示すようにカバー部材５０を捻りコイルばね７０による付勢に任せて開く。このとき、カバー部材５０は、カード挿入部５１にメモリカード１０が保持された状態で開く。そして、メモリカード１０をカード挿入部５１から抜き取り、メモリカード１０の取出しが完了する。
【００４０】
本実施形態によれば、次の効果が得られる。
【００４１】
また、本実施形態では、カード装着部２１を形成するハウジング２０の前端壁部２４に、カード装着部２１に装着されたメモリカード１０の切欠き部１１と対向する傾斜部２５を形成し、この傾斜部２５の近傍におけるハウジング２０の空き部４０に、捻りコイルばね７０を配置してある。これにより、ハウジング２０の大きさを変更することなく、ハウジング２０内に捻りコイルばね７０を配置できる。つまり、カード用コネクタ装置１が大きくならないように捻りコイルばね７０を配置することできる。したがって、カード用コネクタ装置１の小型化に貢献できる。
【００４２】
また、本実施形態では、カバー部材５０を閉じた状態でこのカバー部材５０が開かないようにロックするロック機構部を設けるとともに、カバー部材５０にメモリカード１０を挿入するカード挿入部５１を設けてある。これにより、カード装着部２１へのメモリカード１０の装着、および、カード装着部２１からのメモリカード１０の取出しを、カバー部材５０の開閉とともに容易に行うことができる。
【００４３】
また、本実施形態では、付勢部材が捻りコイル７０ばねからなり、カバー部材５０が、捻りコイルばね７０の一端部７１と係合する係合部が挿入部５８からなる。これにより、カード挿入部５１内に捻りコイルばね７０の一端部７１が突出することを防止でき、捻りコイルばね７０の一端部７１がメモリカード１０の挿入時の障害物となることを防止できる。また、カバー部材５０に捻りコイルばね７０の一端部７１を確実に追従させることができるので、捻りコイルばね７０の一端部７１とカバー部材５０の上板５２との間にメモリカード１０が挿入されるのを防止できる。
【００４４】
また、本実施形態では、挿入部５８を、カバー部材５０の表面に形成した上面溝部５９と、カバー部材５０の裏面に形成した裏面溝部６０とを連続させて形成してある。これにより、挿入部５８をスライド型により容易に形成することができる。
【００４５】
本実施形態では、カバー部材５０とハウジング２０とを組み付けた後に、カバー部材５０およびハウジング２０に捻りコイルばね７０を取り付けるので、カバー部材５０とハウジング２０の組付けを捻りコイルばね７０とは別に行うことができる。これにより、ハウジング２０に対するカバー部材５０の組付けを容易に行うことができ、したがって、カード用コネクタ装置１の組立ての容易化に貢献できる。
【００４６】
また、本実施形態では、捻りコイルばね７０の一端部７１をカバー部材５０の挿入部５８に挿入しながら、一対のばね軸部４７の外周側に捻りコイルばね７０のコイル部７３を配置することができる。つまり、カバー部材５０に対する捻りコイルばね７０の取付けと、ハウジング２０に対する捻りコイルばね７０の取付けとを同時に行うことができる。これにより、カバー部材５０およびハウジング２０に対する捻りコイルばね７０の取付を容易に行うことができる。
【００４７】
また、本実施形態では、凹部４１の左右の内壁面の間隔寸法を捻りコイルばね７０のコイル部７３の寸法と同じ寸法に設定することにより、凹部４１内における捻りコイルばね７０の左右方向の移動を規制している。これにより、一対のばね軸部４７からのコイル部７３が抜けるのを確実に防止できる。
【図面の簡単な説明】
【００４８】
【図１】本発明のカード用コネクタ装置の一実施形態を示す平面図である。
【図２】図１に示すカバー部材のII方向矢視図である。
【図３】図３は、図１のIII方向矢視図である
【図４】図１のIII方向から見たハウジングを示す図である。
【図５】図１のV-V断面図である。
【図６】図５に示す捻りコイルばねの取付構造部を示す縦断面図である。
【図７】図６のVII方向から見たハウジングおよび捻りコイルばねを示す図である。
【図８】図１のVIII方向から見たカバー部材がロックされた状態を示す図である。
【図９】図１のVIII方向から見たカバー部材のロックが解除された状態を示す図である。
【図１０】図１のVIII方向から見たカバー部材が開いた状態を示す図である。
【符号の説明】
【００４９】
１    カード用コネクタ装置
１０  メモリカード
１１  切欠き部
２０  ハウジング
２１  カード装着部
２４  前端壁部
２５  傾斜部
２８  軸穴
３９  ロック穴（ロック機構部）
３０  スライド抑制部（ロック機構部）
３２  規制部（ロック機構部）
４０  空き部
４７  ばね軸部
４８  ばね軸部の端面
５０  カバー部材
５１  カード挿入部
５５  回動軸部
５７  ロック突起部（ロック機構部）
５８  挿入部（係合部）
５９  表面溝部
６０  裏面溝部
７０  捻りコイルばね
７１  捻りコイルばねの一端部
【図１】
2005141321.tif 000003
【図２】
2005141321.tif 000004
【図３】
2005141321.tif 000005
【図４】
2005141321.tif 000006
【図５】
2005141321.tif 000007
【図６】
2005141321.tif 000008
【図７】
2005141321.tif 000009
【図８】
2005141321.tif 000010
【図９】
2005141321.tif 000011
【図１０】
2005141321.tif 000012